(57)【要約】【課題】  本考案は、パチンコ遊技場内で電力線通信システムを利用する場合に、単に電源コンセントに接続しただけでは、データを受信できないようにする電力線通信用電源コンセントを提供することを課題とする。【解決手段】  電源コンセントにデータカットフィルターを設置し、データ漏洩防止機能を内蔵させ、一体化したものを提供する。トイレ等、電力線通信を行う必要がない場所に本考案の電源コンセント使用することで、データの漏洩を防止することができる。【選択図】図１
0003134634.tif 000002
【実用新案登録請求の範囲】
【請求項１】
パチンコ遊技機の遊技に関するデータを、電力線通信（ＰＬＣ）を介して遊技場全体の遊技機の情報を処理するホールコンピューターに送信している遊技場において、
パチンコ遊技機の遊技に関するデータの漏洩防止機能を備えたことを特徴とする電源コンセント。
【考案の詳細な説明】
【技術分野】
【０００１】  本考案は、電力線通信（ＰＬＣ）をパチンコ・スロットホールにおいて使用するために必要な、遊戯データ漏洩防止機能を内蔵した電源コンセントに関するものである。
【背景技術】
【０００２】  電力線通信（ＰＬＣ：Ｐｏｗｅｒ  Ｌｉｎｅ  Ｃｏｍｍｕｎｉｃａｔｉｏｎ）は、電力を供給するために配設されている電力線を利用して情報を伝送するものであり、通信速度が高速である上に、通信線路を新たに敷設する必要がなく設備投資を抑える事が可能であるため、近年、インターネットアクセス用や家庭内のホームネットワークを構築するための通信手段として注目されている。
従来の電力線通信（ＰＬＣ：Ｐｏｗｅｒ  Ｌｉｎｅ  Ｃｏｍｍｕｎｉｃａｔｉｏｎ）システムでは、原理的には、電力線通信（ＰＬＣ）モデムを有する電気機器を電源コンセントに挿すだけで、通信線を確保できる。勿論、データのやり取りは暗号化され、電力線通信路の確保後にユーザの認証等を必要とするため、外部からモデムとパソコン等を持ち込んで情報を抜き出すということは困難である。しかし、理論上不可能ではない。
パチンコ遊技場の遊技データの中には、遊技機の出玉率などの遊技場の経営にかかわる極秘事項も含まれる。このようなデータは、遊技するお客にとってもライバル店にとっても大変有益であり、何とかして手に入れようとする人が少なくない。このデータが漏洩し悪用された場合は、遊技場の経営に影響し、最悪の場合経営破たんを招く可能性もある。
ところで、パチンコ遊技場には、パチンコ遊技機などを接続する電源コンセントのほか、トイレや賞品陳列棚、自動販売機等たくさんの電源コンセントが存在する。電力線通信システムを利用しているパチンコ遊技場では、これらすべての電源コンセントから、データ漏洩の可能性がある。
【考案の開示】
【考案が解決しようとする課題】
【０００３】  従来の電力線通信システムでは、電力線通信モデムを有する電気機器を電源コンセントに接続すると、当該電気機器は、当該電源コンセントに繋がる電力線を介して通信されるデータを全て読めてしまう。これは、セキュリティ上、好ましくない。
そこで、本考案は、このような単に電源コンセントに接続しただけでは、データを受信できないようにする電力線通信用電源コンセントを提供することを課題とする。
【課題を解決するための手段】
【０００４】  電源コンセントにデータカットフィルターを設置し、データ漏洩防止機能を内蔵させ、一体化したものを提供する。トイレ等、電力線通信を行う必要がない場所に本考案の電源コンセント使用することで、データの漏洩を防止することができる。
【考案の効果】
【０００５】  本考案の電源コンセントによれば、本考案の電源コンセントに内蔵されたデータカットフィルターの働きにより、通信を行う必要のない場所の電源コンセントからはデータの受信はできないようにできるので、セキュリティが向上する。
【考案を実施するための最良の形態】
【０００６】  図１は、パチンコ遊技場での本考案に係る電源コンセント１１の実施例が示されている。電源コンセント１１は、表面カバー１２（図３）と本体１３（図４）に分かれている。
本考案の電源コンセント１１を使用するためは、従来の電源コンセントを取り外し、本考案の電源コンセント１１を取り付ける必要がある。従来の電源コンセントの代わりに本考案の電源コンセント１１を取り付けても、見た目は従来の電源コンセントと何ら変わらない。【０００７】  図３に示されるように、表面カバー１２には上下に固定用ビス穴１５ａと１５ｂがある。本体１３を表面カバー１２の上から固定用ビスを使用して固定する。表面カバー１２には、本体１３の電源コード差込口１７ａ、１７ｂ用の穴１９ａ、１９ｂがある。【０００８】  図４に示されるように、本体１３には、上下に表面カバー固定用ビス穴１４ａと１４ｂがある。本体１３の上に表面カバー１２を取り付け、固定用ビス穴１４ａ、１４ｂと１５ａと１５ｂを重ね、ビスで固定する。また、本体固定用ビス穴１６ａ、１６ｂ、１６ｃ、１６ｄがある。本体固定用ビス穴１６ａ、１６ｂ、１６ｃ、１６ｄを使用して、本体１３を壁に固定する。
本体１３には、上下に電源コード差込口１７ａ、１７ｂがある。電源コード差込口１７ａ、１７ｂに電気機器の電源コードを差し込むことで、電気機器に電力が提供される。【０００９】  データカットフィルター１８は、図１および図４のとおり、電力線と電源コード差込口１７ａ、１７ｂの間に設置され、電源コンセント１１に接続した電気機器に送信するデータを打ち消す機能を持つ。
データカットフィルター１８は一般的にフィルタ回路と呼ばれるものである。すなわち、抵抗、コンデンサ、コイル等をそなえ、入力された電気信号に帯域制限をかけたり、特定の周波数成分を取り出したりすることができる。電源コンセント１１の内部に設置されたデータカットフィルター１８は、電源の周波数である５０Ｈｚおよび６０Ｈｚ以外に制限をかけ、実質的に重畳させずに負荷に供給させることで、電源コンセント１１へ電力は供給されるがデータは伝わらないようにする。【００１０】  図２は、電力線通信を利用した、パチンコ遊技場のデータ通信システムの図である。
図２に示されるように、パチンコ遊技機３１の遊技データは、信号線４１により台ユニット３３へ送信され、玉貸出機およびコイン貸出機３２の売上データは、信号線４２により台ユニット３３へ送信される。台ユニット３３から電力線通信装置（ＰＬＣモデム）３４に、信号線４３により送信される。電力線通信装置（ＰＬＣモデム）２４は、信号をアナログのＰＬＣ信号に変調し、電力線３０へ送信する。【００１１】  電力線通信装置は、イーサネット信号と電力線通信信号（ＰＬＣ信号）を相互に変換する装置である。一般的には、パソコンなどの機器と電力線通信モデムをＬＡＮケーブルで接続し、電源ケーブルをコンセントに挿して使う。電力線通信モデムをつないだパソコンがデータを送信すると、そのデータは電力線通信モデムから電気配線を経由して相手先の電力線通信モデムに伝わり、再びＬＡＮケーブル経由で相手先のパソコンなどの機器に届けられる。【００１２】  電力線３０に送られたアナログデータは、ホールコンピューター２１へ接続した電力線通信モデム２２により抽出され、デジタルデータへと復調される。電力線通信モデム２２は、復調されたデータをホールコンピューター２１へ送信し、ホールコンピューター２１は情報を受信し処理する。【００１３】  パチンコ遊技場には、パチンコ遊技機などを接続する電源コンセントのほか、トイレや賞品陳列棚、自動販売機等たくさんの電源コンセントが存在する。これらの電源コンセントでは、電力線通信を行いデータを送受信する必要はないので、本考案の電源コンセントを利用することで、データ漏洩を防止することができる。【００１４】  そのため、パチンコ遊技場で電力線通信を行っていることは外見から判断できず、ノートパソコン２７と電力線通信モデム２６を持ち込み、不正にデータを入手しようと考えた人がいたとしても、電源コンセントからデータを入手できるとは考えないと思われ、データ漏洩の危険性は少ないと言える。
【図面の簡単な説明】
【００１５】
【図１】  実施例の電源コンセントの正面図
【図２】  パチンコ遊技場で電力線通信を利用しているときのネットワークの図
【図３】  実施例の電源コンセント表面カバーの図
【図４】  実施例の電源コンセント本体の図
【符号の説明】
【００１６】１１    本考案の電源コンセント
１２    本考案の電源コンセント表面カバー
１３    本考案の電源コンセント本体
１４ａ  固定用ビス穴
１４ｂ  固定用ビス穴
１５ａ  表面カバー固定用ビス穴
１５ｂ  表面カバー固定用ビス穴
１６ａ  本体固定用ビス穴
１６ｂ  本体固定用ビス穴
１６ｃ  本体固定用ビス穴
１６ｄ  本体固定用ビス穴
１７ａ  電源コード差込口
１７ｂ  電源コード差込口
１８    データカットフィルター
１９ａ  電源コード差込口用穴
１９ｂ  電源コード差込口用穴
２１    ホールコンピューター
２２    電力線通信モデム
２３    電力線通信モデム
２４    電力線通信モデム
２５    データカットフィルター
２６    電力線通信モデム
２７    ノートパソコン
３０    電力線
３１    パチンコ遊技機
３２    玉貸出機
３３    台ユニット
４１    信号線
４２    信号線
４３    信号線
【図１】
0003134634.tif 000003
【図２】
0003134634.tif 000004
【図３】
0003134634.tif 000005
【図４】
0003134634.tif 000006